(57)【要約】 【課題】遊技島の上部間に架け渡され、必要に応じて何れか一方側への傾斜姿勢に変化してパチンコ玉を相互に供給し合って、各遊技島の玉貯留量を均等化することが出来る遊技島相互における玉供給装置のバランス樋を提供する。【解決手段】隣接した遊技島の上部タンク同士を水平な一本のバランス樋にて架け渡し、上部タンクの内部は導通口を有した仕切り壁によってメイン貯留部とサブ貯留部とに仕切られ、メイン貯留部の上部ガイド板によって、玉揚送装置からのパチンコ玉をサブ貯留部から玉供給装置へ転動させると共に、隙間からメイン貯留部内に落下させ、サブ貯留部の中仕切り板によって、隣接した遊技島からのパチンコ玉を導通口からメイン貯留部に転動させると共に、隙間から玉貯留タンクに供給し、バランス樋は端部が上下に揺動し何れか一方側への傾斜姿勢に変化することにより、隣接して配設した遊技島相互にパチンコ玉を供給し合う。【選択図】図６
2005305196.tif 000002
【特許請求の範囲】
【請求項１】
複数台列設されたパチンコ遊技機及び遊技媒体貸出機と、パチンコ玉を磨きながら揚送する玉揚送装置と、該玉揚送装置によって揚送されたパチンコ玉を貯留する上部タンクと、多量のパチンコ玉を貯留する玉貯留タンクと、該玉貯留タンクに貯留されたパチンコ玉の量を検出する玉量検出装置とを備え、前記玉貯留タンクから排出したパチンコ玉を上記玉揚送装置により上部タンク内に揚送し、該上部タンクからパチンコ遊技機及び遊技媒体貸出機に供給して循環還流するように成した遊技島を複数列配設すると共に、左右方向に配設した遊技島の上部タンク同士にバランス樋を架け渡してパチンコ玉を相互に供給し合って遊技島内の玉貯留量を均等化させる遊技島相互における玉供給装置のバランス樋であって、
前記玉供給装置は上記上部タンクに備えられ、上記上部タンクは、導通口を有した仕切り壁によってメイン貯留部とサブ貯留部とに仕切られた貯留部を備え、
前記メイン貯留部は、前記玉揚送装置から受け入れたパチンコ玉をサブ貯留部側へ案内する上部ガイド板を備え、該上部ガイド板は前記メイン貯留部内へパチンコ玉を落下させる隙間を有し、メイン貯留部内のパチンコ玉をパチンコ遊技機及び遊技媒体貸出機に供給するように成し、
前記サブ貯留部は、前記上部ガイド板によって案内されたパチンコ玉を前記玉供給装置へ送出する玉流出手段と、隣接した遊技島から受け入れたパチンコ玉を上記導通口を通じてメイン貯留部へ案内する中仕切り板とを備え、該中仕切り板は前記玉貯留タンクへパチンコ玉を落下させる隙間を有し、
上記バランス樋は上記上部タンク同士に少なくとも一本水平に架け渡され、上記玉量検出装置が検出する玉量に応じて、前記サブ貯留部の玉流出手段が開閉し、前記バランス樋は端部が上下に揺動し何れか一方側への傾斜姿勢に変化することにより、遊技島相互にパチンコ玉を供給し合う構成としたことを特徴とする、遊技島相互における玉供給装置のバランス樋。
【請求項２】
複数台列設されたパチンコ遊技機及び遊技媒体貸出機と、パチンコ玉を磨きながら揚送する玉揚送装置と、該玉揚送装置によって揚送されたパチンコ玉を貯留する上部タンクと、多量のパチンコ玉を貯留する玉貯留タンクと、該玉貯留タンクに貯留されたパチンコ玉の量を検出する玉量検出装置とを備え、前記玉貯留タンクから排出したパチンコ玉を上記玉揚送装置により上部タンク内に揚送し、該上部タンクからパチンコ遊技機及び遊技媒体貸出機に供給して循環還流するように成した遊技島を複数列配設すると共に、幅広通路を挟んで前後方向に配設した遊技島の端部にバランス樋を架け渡してパチンコ玉を相互に供給し合って遊技島内の玉貯留量を均等化させる遊技島相互における玉供給装置のバランス樋であって、
上記上部タンクは、仕切り壁によってメイン貯留部とサブ貯留部とに仕切られた貯留部と、該貯留部のパチンコ玉を供給する玉供給装置とからなる第1玉供給装置を備え、該第１玉供給装置から排出されたパチンコ玉を端部に導く供給樋を設け、さらに供給樋の終端に貯留部と玉供給装置と小型リフトとから成る第２玉供給装置を備えて成り、該第２玉供給装置同士を水平な少なくとも一本のバランス樋にて架け渡して相互に供給し合うように成し、
前記メイン貯留部は、前記玉揚送装置から受け入れたパチンコ玉をサブ貯留部側へ案内する上部ガイド板を備え、該上部ガイド板は前記メイン貯留部内へパチンコ玉を落下させる隙間を有し、メイン貯留部内のパチンコ玉をパチンコ遊技機及び遊技媒体貸出機に供給するように成し、
前記サブ貯留部は、前記上部ガイド板によって案内されたパチンコ玉を上記玉供給装置へ送出する玉流出手段を備え、
上記玉量検出装置が検出する玉量に応じて前記サブ貯留部の玉流出手段が開閉し、上記バランス樋は端部が上下に揺動し何れか一方側への傾斜姿勢に変化することにより、遊技島相互にパチンコ玉を供給し合う構成としたことを特徴とする、遊技島相互における玉供給装置のバランス樋。
【発明の詳細な説明】
【技術分野】
【０００１】
本発明は、例えば複数台列設されたパチンコ遊技機及び遊技媒体貸出機と上部タンクを設けた玉揚送装置とを備えて一群と成し、島内部に多量のパチンコ玉を貯留する玉貯留タンクを備えて循環還流させるように成した遊技島に関り、更に詳しくは複数列配設した遊技島の上部間（左右方向若しくは幅広通路を挟んで前後方向）にバランス樋を架け渡し、必要に応じて相互に供給する際、上部タンクに貯留したパチンコ玉をバランス樋に送り出し、各遊技島内の玉貯留量を均等化（玉保有量の均等化）するようにした、遊技島相互における玉供給装置のバランス樋に関するものである。
【背景技術】
【０００２】
通常、パチンコ遊技店においては例えば、複数台１５台乃至２０台程度のパチンコ遊技機を片面または両面に直線状に列設させ左右方向（横方向）に配設した複数列の遊技島と、この複数列の遊技島に対向する位置に幅広通路（中通路とも言う）を挟んで前後方向に同じように左右方向に配設した複数列の遊技島と、から構築されている。
遊技島において、片面の所謂壁島の場合、略１５万発程度の、また両面の所謂両面島の場合は、略３０万発程度のパチンコ玉が使用（保有）されるように成っており、各パチンコ遊技機及び各遊技媒体貸出機に対して上部の供給樋からパチンコ玉が補給される。また、遊技島には上部タンクを備えた玉揚送装置と、島内に多量のパチンコ玉を貯留させる玉貯留タンクとが備えられ、該玉貯留タンク内に貯留した玉を循環還流（システム）させるように成している。
【０００３】
上記遊技島において、島内に貯留した玉を循環還流させるシステムは、例えば遊技島内の下部に多量のパチンコ玉を貯留させる長さを有した玉貯留タンクと、この玉貯留タンクの端部の玉排出部に設けられた小型な循環リフトと、この循環リフト若しくは各パチンコ遊技機から回収樋に排出されたパチンコ玉を上方に磨きながら揚送する玉揚送装置と、この玉揚送装置の上部には揚送されたパチンコ玉を一時貯留（貯留部）させておく上部タンクと、この上部タンクから各パチンコ遊技機や各遊技媒体貸出機に対してパチンコ玉を補給する傾斜状の供給樋と、上部タンクから溢れたパチンコ玉を玉貯留タンクに戻すためのオーバーフロー樋と、から大略構成され、島内のパチンコ玉が循環還流するようにし、営業に支障ないようにしている。
【０００４】
さらに、循環還流させるシステムを備えた遊技島は、例えば、島端に玉計数機を設けた玉計数機有り島（親島とも有う）とし、その左右方向（両側）に隣接して配設された玉計数機無し島（子島とも言う）とし、さらに玉揚送装置の上部タンクに設けた水平な少なくとも１本のバランス樋が上部タンク同士に架け渡して島内の玉貯留量の増減の検出により必要に応じて相互に供給し合っている。
また、郊外に設置されたパチンコ遊技店においては、店舗規模（遊技島を構築する設置台数が多い等）が大きくなってきている。このような店舗規模の大きい遊技店に循環還流させるシステムを導入する際は、左右方向に隣接して配設された遊技島は上記した玉揚送装置の上部タンクに設けた水平のバランス樋を上部タンク同士に架け渡して相互に供給し合うことは無論のこと、幅広通路を挟んで前後方向に配置された遊技島においても、遊技島同士間にバランス樋を架け渡し、前後方向の何れかの遊技島の玉貯留量が不足状態にならないように、それぞれの上部間に架け渡したバランス樋によりパチンコ玉を相互に供給し合い、均等化する必要がある。また、昨今は獲得したパチンコ玉を持って台移動しての遊戯営業になってきている。
【０００５】
上記したように玉揚送装置の上部に設けられ上部タンク同士間に架け渡して各遊技島に貯留しているパチンコ玉を相互に供給し、均等化するバランス樋は、傾斜した２本の搬送路を上部タンク同士にＸ字状に交差して架け渡したクロスバランス方式の構成から成るものや、水平な少なくとも１本の搬送路を上部タンク同士に架け渡し、正・逆転駆動モータによる１本正逆駆動ベルト方式の構成から成るものが提供されている。
【発明の開示】
【発明が解決しようとする課題】
【０００６】
しかしながら、上記した傾斜状の２本のバランス樋の搬送路をＸ字状に交差して架け渡したクロスバランス方式を左右方向に配設した各遊技島に備えてパチンコ玉を相互に供給し合う場合、傾斜した２本の搬送路が遊技島の中央又は端部の上方にＸ字状に交差して架け渡されていることから、幅広となり、美観上好ましくない。さらに、Ｘ字状に交差して架け渡したクロスバランス方式を幅広通路を挟んで前後方向に配設した遊技島に架け渡すことは、施工が面倒となり、より美観上好ましくない。
【０００７】
また、２本の搬送路をＸ字状に交差して架け渡し、必要に応じてシャッター機構（図示せず）が開閉動作して搬送路中のパチンコ玉を傾斜状の搬送路を供給側へと転動させて供給するため、搬送路中で玉溜まりが生じてしまい、さらにバランス樋が落下する等の危険性があるため、落下防止対策として構造上、配慮（強度）する必要があり、その結果、コストアップとなっていた。
【０００８】
一方、上記した正・逆転駆動モータによる１本のバランス樋の搬送手段を架け渡した１本の正逆ベルト方式を各遊技島に備えてパチンコ玉を相互に供給し合う場合、上記したクロスバランス方式に比べ美観上はよくなる反面、駆動源として駆動モータを使用し、特に正・逆転の切替え駆動制御する高価な駆動モータを使用することから、コストアップとなり、長年使用していると故障も生じる。
また、上記搬送手段は、プーリ間にベルトを架け渡して構成されることから、設置、または定期点検する際、ベルトの架け渡しの際の張り具合を調整する必要もあり、さらにトラブル（ベルト切れによる交換作業等）を招く恐れがあり、トラブルが発生すると営業できなくなってしまう。
【０００９】
さらに、例えば左右方向に隣接する遊技島の島間の通路幅は、パチンコ遊技店によって異なり、その都度、現場にてその長さを切断する作業をしなくてはならず、施工に時間が掛かかる等の問題があった。
これら問題は、幅広通路を挟んで前後方向に配設した遊技島に架け渡す場合においても生じる。
【００１０】
本発明は、以上の点に鑑み、遊技島の上部間（左右方向若しくは幅広通路を挟んで前後方向）に、バランス樋にて何れか一方側への傾斜姿勢に変化して必要に応じて玉供給装置により相互に供給し合って、各遊技島の玉貯留量を均等化することが出来る遊技島相互における玉供給装置のバランス樋を提供することを目的としている。
【課題を解決するための手段】
【００１１】
上記した目的は、本発明の請求項１によれば、複数台列設されたパチンコ遊技機及び遊技媒体貸出機と、パチンコ玉を磨きながら揚送する玉揚送装置と、該玉揚送装置によって揚送されたパチンコ玉を貯留する上部タンクと、多量のパチンコ玉を貯留する玉貯留タンクと、該玉貯留タンクに貯留されたパチンコ玉の量を検出する玉量検出装置とを備え、前記玉貯留タンクから排出したパチンコ玉を上記玉揚送装置により上部タンク内に揚送し、該上部タンクからパチンコ遊技機及び遊技媒体貸出機に供給して循環還流するように成した遊技島を複数列配設すると共に、左右方向に配設した遊技島の上部タンク同士にバランス樋を架け渡してパチンコ玉を相互に供給し合って遊技島内の玉貯留量を均等化させる遊技島相互における玉供給装置のバランス樋であって、前記玉供給装置は上記上部タンクに備えられ、上記上部タンクは、導通口を有した仕切り壁によってメイン貯留部とサブ貯留部とに仕切られた貯留部を備え、前記メイン貯留部は、前記玉揚送装置から受け入れたパチンコ玉をサブ貯留部側へ案内する上部ガイド板を備え、該上部ガイド板は前記メイン貯留部内へパチンコ玉を落下させる隙間を有し、メイン貯留部内のパチンコ玉をパチンコ遊技機及び遊技媒体貸出機に供給するように成し、前記サブ貯留部は、前記上部ガイド板によって案内されたパチンコ玉を前記玉供給装置へ送出する玉流出手段と、隣接した遊技島から受け入れたパチンコ玉を上記導通口を通じてメイン貯留部へ案内する中仕切り板とを備え、該中仕切り板は前記玉貯留タンクへパチンコ玉を落下させる隙間を有し、上記バランス樋は上記上部タンク同士に少なくとも一本水平に架け渡され、上記玉量検出装置が検出する玉量に応じて、前記サブ貯留部の玉流出手段が開閉し、前記バランス樋は端部が上下に揺動し何れか一方側への傾斜姿勢に変化することにより、遊技島相互にパチンコ玉を供給し合う構成としたことによって達成される。
【００１２】
上記した目的は、本発明の請求項２によれば、複数台列設されたパチンコ遊技機及び遊技媒体貸出機と、パチンコ玉を磨きながら揚送する玉揚送装置と、該玉揚送装置によって揚送されたパチンコ玉を貯留する上部タンクと、多量のパチンコ玉を貯留する玉貯留タンクと、該玉貯留タンクに貯留されたパチンコ玉の量を検出する玉量検出装置とを備え、前記玉貯留タンクから排出したパチンコ玉を上記玉揚送装置により上部タンク内に揚送し、該上部タンクからパチンコ遊技機及び遊技媒体貸出機に供給して循環還流するように成した遊技島を複数列配設すると共に、幅広通路を挟んで前後方向に配設した遊技島の端部にバランス樋を架け渡してパチンコ玉を相互に供給し合って遊技島内の玉貯留量を均等化させる遊技島相互における玉供給装置のバランス樋であって、上記上部タンクは、仕切り壁によってメイン貯留部とサブ貯留部とに仕切られた貯留部と、該貯留部のパチンコ玉を供給する玉供給装置とからなる第1玉供給装置を備え、該第１玉供給装置から排出されたパチンコ玉を端部に導く供給樋を設け、さらに供給樋の終端に貯留部と玉供給装置と小型リフトとから成る第２玉供給装置を備えて成り、該第２玉供給装置同士を水平な少なくとも一本のバランス樋にて架け渡して相互に供給し合うように成し、前記メイン貯留部は、前記玉揚送装置から受け入れたパチンコ玉をサブ貯留部側へ案内する上部ガイド板を備え、該上部ガイド板は前記メイン貯留部内へパチンコ玉を落下させる隙間を有し、メイン貯留部内のパチンコ玉をパチンコ遊技機及び遊技媒体貸出機に供給するように成し、前記サブ貯留部は、前記上部ガイド板によって案内されたパチンコ玉を上記玉供給装置へ送出する玉流出手段を備え、上記玉量検出装置が検出する玉量に応じて前記サブ貯留部の玉流出手段が開閉し、上記バランス樋は端部が上下に揺動し何れか一方側への傾斜姿勢に変化することにより、遊技島相互にパチンコ玉を供給し合う構成としたことによって達成される。
【発明の効果】
【００１３】
上記した請求項１の構成によれば、２本のＸ字状に交差して架け渡したクロスバランス方式によるバランス樋に比べて安価で施工も簡易となり、美観も損ねることがない。
さらに、正・逆転駆動モータによる１本のバランス樋の搬送手段ベルトを採用したものと比べて、ベルト切れ、ベルト張り具合調整等を行う必要がなくなる。
【００１４】
また、上記した請求項２の構成によれば、例えば郊外に設置された店舗規模の大きいパチンコ遊技店に循環還流させる本システムを導入しても左右島への受給、供給による相互の供給はもとより、幅広通路を挟んで前後方向に配置された遊技島で不足の事態が生じても受給、供給が行えることによって早急に対処することが出来、営業に支障をきたすことがない。
【００１５】
また、例えば郊外に設置された店舗規模の大きいパチンコ遊技店に循環還流させる本システムを導入しても左右島への受給、供給による相互の供給はもとより、幅広通路を挟んで前後方向に配置された遊技島で不足の事態が生じても受給、供給が行えることによって早急に対処することが出来、営業に支障をきたすことがない。
【発明を実施するための最良の形態】
【００１６】
以下、図面に示した実施形態に基づいて、本発明を詳細に説明する。
図１は、本発明のパチンコ遊技島相互（左右遊技島）における玉供給装置の一実施形態の構成を示しており、遊技島の内、一方側（略半分）のみを図示した概略側面図である。
図１に示すように、遊技島１は複数台のパチンコ遊技機２及び遊技媒体貸出機２ａ（台間玉貸出機）が列設されており、後述する循環還流システム９の各構成が備えられている。そのうち玉貯留タンク３の任意の位置には後述する玉量検出装置１０が組み込まれている。
図１から図１６は、左右方向に配設した遊技島の上部タンク同士にバランス樋を架け渡した実施形態であり、図１７から図１９は、幅広通路を挟んで前後方向に配設した遊技島の第２供給装置同士にバランス樋を架け渡した実施形態である。
【００１７】
パチンコ遊技店においては、複数台１５台乃至２０台程度のパチンコ遊技機２を片面または両面に直線状に列設させ、左右方向に配設した複数列の遊技島１と、この複数列の遊技島１に対向する位置に幅広通路を挟んで前後方向に同じように左右方向に配設した複数列の遊技島１と、から構築されている。
左右方向に配設した遊技島とは、片面または両面に横方向に配設され、パチンコ遊技機２毎に椅子（図示せず）が設置され、僅かな巾の通路幅が形成された遊技島のことを言う。
また、前後方向に配設した遊技島とは、後述する幅広通路７００を有して成り、上記した僅かな巾の通路幅に比べて幾分幅広の通路に形成され、各遊技島１の島端には遊技設備（例えば、玉計数機１ａ等）が設置され、この幅広通路を挟んで前後方向に配設した遊技島のことを言う。
上記したパチンコ遊技店に複数列設された遊技島１は、一般的に片面の所謂壁島の場合は、略１５万発程度の、また両面の所謂両面島の場合は、略３０万発程度のパチンコ玉が島内の玉貯留タンク３内に貯留（保有）されている。
【００１８】
先ず、循環還流システム９が導入され、左右方向に配設された遊技島１の場合について説明する。
循環還流システム９は、例えば島端１ｂに玉計数機１ａを設けた遊技島１を玉計数機有り島とし、その左右方向（両側）に隣接して配設された遊技島１を玉計数機無し島とし、さらに玉揚送装置６の上部タンク２０に設けた水平な少なくとも１本のバランス樋４０の上部タンク２０同士に架け渡して各遊技島内の玉貯留量の増減の検出により、必要に応じてパチンコ玉を相互に供給し合うように成っている。
【００１９】
このように複数列設された各遊技島１の島内の玉貯留タンク３内の玉貯留量の増減は後述する玉量検出装置１０にて検出して、何れかの遊技島１の玉貯留量が所要量より少ない又は多いと検出した時、その両側の遊技島１の玉貯留量が所要量より多く又は少なくなり、供給又は受給可能であるか判断し、供給又は受給可能と判断した遊技島１からバランス樋４０を介してパチンコ玉を供給又は受給し、不足した玉量を補うと共に、過剰となった玉量を排出することで、各遊技島内の玉貯留量を均等化することが出来るように構成されている。
【００２０】
次に、循環還流システム９の各構成（玉計数機有り島の場合）について説明する。
循環還流システム９が導入された遊技島１の島端１ｂには玉計数機１ａが設けられ、内部下方には島端よりの位置に例えば左右二つ（図１では右側のみ図示し、以下遊技島１の右側のみを説明する。）の玉貯留タンク３と、玉貯留タンク３の端部の玉排出部３ｂに接続された小型の循環リフト４と、この循環リフト４から持ち上げられたパチンコ玉を玉揚送装置６に導く回収樋５とが備えられ、回収樋５から転動してくるパチンコ玉を上方に磨きながら揚送する玉揚送装置６（例えば、布式による研磨媒体の玉揚送装置等）が略中央付近に化粧パネルで囲まれて備えられ、上方には該玉揚送装置６により揚送され研磨されたパチンコ玉を一時貯留させておく貯留部（メイン貯留部、サブ貯留部）を備えた上部タンク２０が設けられ、この上部タンク２０から各パチンコ遊技機２や各遊技媒体貸出機２ａ（以下、台間玉貸機という）に対してパチンコ玉を補給する傾斜状の供給樋７と、上部タンク２０から溢れたパチンコ玉を玉貯留タンク３に戻すためのオーバーフロー樋８と、から大略構成され、島内をパチンコ玉が循環還流するように成っていて、各遊技島１の玉貯留量は図示しない島管理装置（島コントローラ等）やホールカウンタ内のシステム管理装置（パソコン等）にて監視制御されている。
尚、図示しないが、左右方向（両側）に隣接して配設された玉計数機無し島の遊技島１においても上記した構成は備えているが、島端には玉計数機１ａは備えていない。
【００２１】
遊技島１内に備えた玉貯留タンク３は、略長方形状を成し、内部の床面は玉排出部３ｂに向かってなだらかに下方に傾斜しており、玉貯留タンク３内のパチンコ玉は、その傾斜に従って玉排出部３ｂに向かって転がるように形成されている。
上記玉貯留タンク３は、遊技島１に列設されるパチンコ遊技機２の台数によって 設置個数（少なくとも一個以上）、多量のパチンコ玉を貯留する長さが異なるものを備えるようになっていて、ここでは、下流端に一つのメインタンク３ｃ（長めの略長方形状と成し、約１０万個収納可能）と、このメインタンク３ｃに順次に接続されるサブタンク３ｄ（メインタンクより少し短めの略長方形状と成し、約５万個収納可能）との二個の玉貯留タンク３が一方側（右側）に備えられている（ここでは、他方側は省略）。また、図示しないが、各パチンコ遊技機２から排出されるパチンコ玉（アウト玉）は、玉貯留タンク３の両端の回収樋５によって回収され、玉揚送装置６に送られるようになっている。
また、後述するが玉貯留タンク３の任意の位置（例えば、直前の位置と直後の位置に）玉の個数をカウントする玉量検出装置１０（各センサ）が設けられている。
【００２２】
図１に示すように、玉量検出装置１０は玉貯留タンク３に供給されるパチンコ玉即ちイン玉の個数を計数カウントするための第一の検出センサ１０ａと、玉貯留タンク３から排出されるパチンコ玉即ちアウト玉の個数を計数カウントするための第二の検出センサ１０ｂとが任意に位置に設けられると共に演算処理する演算部と、から構成されている。
【００２３】
第一の検出センサ１０ａは、例えば玉貯留タンク３に供給する直前の位置である玉供給部３ａに設けられており、玉供給部３ａを介して玉貯留タンク３内に供給されるパチンコ玉の個数を計数カウントするように成っている。
そして、上記第一の検出センサ１０ａは、そのカウント値を演算部に出力している。
【００２４】
第二の検出センサ１０ｂは、例えば玉貯留タンク３から排出された直後の位置である玉排出部３ｂに設けられており、玉排出部３ｂを介して玉貯留タンク３から排出されるパチンコ玉の個数を計数カウントするように成っている。
そして、上記第二の検出センサ１０ｂは、そのカウント値を演算部に出力している。
【００２５】
上記演算部は、上記した第一の検出センサ１０ａ及び第二の検出センサ１０ｂからのカウント値が入力されることにより、第一の検出センサ１０ａのカウント値即ち、イン玉から第二の検出センサ１０ｂのカウント値即ち、アウト玉を演算処理（減算処理）して、遊技島毎に設けた島管理装置（島コントローラ等）やホールカウンタ内のシステム管理装置（パソコン等）に出力（データ送信）するように成っている。
【００２６】
上記第一の検出センサ１０ａと第二の検出センサ１０ｂは、玉貯留タンク３の玉供給部３ａと玉排出部３ｂに設けられ、例えば７〜８列のスノコの側壁またはスノコ上部に、透過型若しくは反射型センサを設けることにより、正確に各パチンコ玉の通過を検知・カウントして、上記演算部へと出力することが出来るように成っている。尚、この玉量検出装置１０の構成による検出に限らず、玉貯留タンク３の側壁に複数個配置したタッチセンサ等による検出であっても良い。
【００２７】
上記した演算部は、第一の検出センサ１０ａ及び第二の検出センサ１０ｂからのカウント値が入力されることにより、第一の検出センサ１０ａのカウント値、即ちイン玉から第二の検出センサ１０ｂのカウント値、即ちアウト玉を演算処理して、遊技島毎に設けた島管理装置やホールカウンタ内のシステム管理装置に出力する。
この際、例えば遊技島１（玉計数機有り島）の島内の玉貯留量の増減を玉量検出装置１０にて検出して所要量より少ないと検出した時、左右方向（両側）の遊技島（玉計数機無し島）の玉貯留量が所要量より多くあり、供給可能であると判断すると供給可能の信号を発信し、供給可能と判断した遊技島１から後述する玉供給装置３０にて排出され、送り出されたパチンコ玉はバランス樋４０を介して供給される。
【００２８】
これとは逆に遊技島１（玉計数機有り島）の島内の玉貯留量の所要量より多いと玉量検出装置１０にて検出した時、左右方向（両側）の遊技島（玉計数機無し島）の玉貯留量が所要量より少なく、受給可能であるか判断すると受給可能の信号を発信し、受給可能と判断した遊技島１から後述する玉供給装置３０にて排出され、送り出されたパチンコ玉はバランス樋４０を介して受給される。
このように、各遊技島１の島内の玉貯留タンク３内の玉貯留量の増減は玉量検出装置１０にて検出され、供給又は受給可能であるか判断し、供給又は受給可能と判断した遊技島１から玉供給装置３０にて排出され、送り出されたパチンコ玉はバランス樋４０を介して供給又は受給し、不足した玉量を補うと共に、過剰な玉量を排出することで、各遊技島内の玉貯留量を均等化に保つことが出来る。
【００２９】
次に、玉供給装置３０（玉供給手段）の構成について説明する。
図２乃至図１６に示すように、遊技島の上部間（左右方向）の遊技島１、１の上部タンク２０、２０同士の間には架け渡された水平姿勢で少なくとも１本のバランス樋４０を介してパチンコ玉を相互に供給し合う玉供給装置３０が設けられている。尚、ここではバランス樋４０は少なくとも１本としたが、この本数に限定するものでなく、２本としても良い。
【００３０】
パチンコ玉を相互に供給し合う（供給又は受給）玉供給装置３０の構成について詳細に説明する。
玉供給装置３０は、上部タンク２０内に設けられた玉供給手段により相互に供給し合うように成っており、この玉供給手段は、左右方向の遊技島１、１間に架け渡された水平姿勢の１本のバランス樋４０と、バランス樋４０内にパチンコ玉を送り出す加速手段５０と、加速手段５０へのパチンコ玉を供給又は供給停止すると共に、バランス樋４０を連動駆動する駆動手段６０と、から構成されている（図１１及び図１２参照）。
【００３１】
加速手段５０は、後述するがバランス樋４０内にパチンコ玉に加速をつけて送り出すようになっている。また、駆動手段６０は加速手段５０にパチンコ玉を供給するために上部タンク２０に設けた供給口２２を玉流出手段である開閉するシャッター部材６１を上下動させる、と共にバランス樋４０の搬送路４１を傾斜させる作動部材６５とを備えている。ここでは玉流出手段は、開閉自在のシャッター機構方式としている。
尚、玉流出手段は、図示しないが、他のモータにて回転する回転ローラを設け、回転ローラを回転制御することにより、シャッター機構と同じ作用するようにしても良い。つまり、通常、回転ローラの停止時はパチンコ玉が通過できない隙間になっているため、阻止され、回転することにより、パチンコ玉を送り出すようにしている（回転式による玉流出手段）。
【００３２】
次に、遊技島１の上部に設けられた上部タンク２０の構成について説明する。
上部タンク２０の内部は、図１乃至図５に示すように、玉揚送装置６により揚送されたパチンコ玉を貯留する貯留部（後述するメイン貯留部Ｔｍ及びサブ貯留部Ｔｓ）を備えると共に、受け渡す受渡し口２１を備え、遊技島１、１の上部タンク２０、２０間に後述するバランス樋４０を掛け渡すようになっている。
【００３３】
上部タンク２０の外部（側壁）は、バランス樋４０を掛け渡すための開口２３、２３を設け、この開口２３、２３部分にて後述する加速手段５０の下端の吐出し口５４とバランス樋４０の搬送路４１の先端が対向するように設けられ、開口２３、２３の下縁にバランス樋４０の先端を載置して取付ける保持部２４、２４とが設けられている。また、上部タンク２０は、各パチンコ遊技機２や各台間玉貸機２ａに対してパチンコ玉を供給する供給樋７の取付け部２５が設けられ、またオーバーフロー樋８の先端が取付けられるように成っている。
【００３４】
図５は、上部タンク２０の内部を示し、一方の玉供給手段と図示しない隔壁板とが省略されており、図１１および図１２をも参照して、上部タンク２０の内部を詳細に説明する。上部タンク２０の内部には、左右方向に上記した玉供給手段を備えている。
【００３５】
上部タンク２０の玉供給手段側の内部に、仕切り壁２６が上下に亘って設けられ、玉供給手段の後方に、仕切り壁２６によって仕切られた貯留部のメイン貯留部Ｔｍが形成され、該メイン貯留部Ｔｍの上部に、上記玉揚送装置６により揚送されてきたパチンコ玉を受ける矩形状に開口した受渡し口２１から受け入れる上部ガイド板２７が先端に向かって僅かに傾斜して設けられている。
そして、パチンコ玉が上部ガイド板２７上を先端へと転動すると共に、上部ガイド板２７に形成した隙間２７ａから矢印のように、メイン貯留部Ｔｍ内にパチンコ玉が落下貯留され、上部ガイド板２７上の先端は玉供給手段の上部に設けたサブ貯留部Ｔｓに接続している。
また、上記上部ガイド板２７の先端で、サブ貯留部Ｔｓとの接続部分に隙間２７ｂが形成されと共に上記駆動手段６０に設けたシャッター部材６１によって開閉される供給口２２が設けられている。
【００３６】
上記メイン貯留部Ｔｍ内にはパチンコ玉の貯留量を検出するスイッチが設けられている。上方位置に貯留量の上限を検知する上限スイッチＳｔと、下方位置に貯留量の下限を検知する下限スイッチＳｄとが設けられている。
また、メイン貯留部Ｔｍの下部に設けた下部空間部Ｔｄには、オーバーフロー樋８が接続されるようになっていると共に、メイン貯留部Ｔｍの上部と下部空間部Ｔｄとを接続するオーバーフローパイプＯｐが設けられ、メイン貯留部Ｔｍ内に、上限スイッチＳｔを越えてパチンコ玉が貯留された場合に、このオーバーフローパイプＯｐにより下部空間部Ｔｄにパチンコ玉が送られ、上記オーバーフロー樋８を介して玉貯留タンク３へと供給されるように構成している。尚、Ｔｃは、オーバーフローパイプＯｐの上端に設けた、補助取付け板である。
【００３７】
さらに、上部タンク２０の玉供給手段側には、後述するバランス樋４０を架け渡すための開口２３、２３が設けられ、この開口２３、２３の下方に、隙間２８ａを形成した中仕切板２８が傾斜して配置され、このガイド中仕切板２８の先端部分で、上記仕切り壁２６との接合部分にメイン貯留部Ｔｍに通ずる矩形状の導通口２６ａが開口し形成されている。
また、上記中仕切板２８の下方に、隙間２９ａを形成した下部ガイド板２９が傾斜して配設され、中仕切板２８の隙間２８ａから供給されるパチンコ玉を上記下部空間部Ｔｄに送るように構成している。
尚、上記上部ガイド板２７、及び中仕切板２８、また下部ガイド板２９の各隙間２６ａ、２７ｂ、２８ａおよび２９ａや、導通口２６ａは、それぞれパチンコ玉が通過できる充分な大きさに形成されている。
【００３８】
次に、バランス樋４０の構成について図２又は図３、図６乃至図９に基づいて説明する。ここでのバランス樋４０は、左右方向に配設された遊技島１、１の上部タンク２０、２０同士間に掛け渡す長さに形成され、パチンコ玉が転動して搬送される断面コの字状の搬送路４１と、略同じ断面コの字状の化粧ガイド樋４２の板金材等から成る二重構造に構成されている（図９参照）。
ここで、上記搬送路４１は長手方向に関して二分割されており、互いに突き合わされる端部の下方に後述するように下方に突出する二つの支点部材４３Ａ、４３Ｂを有する補強用枠体４４がネジ等により取り付けられることにより、互いに分割された二つの搬送路４１が互いに連結されている。
上記補強用枠体４４には、図８に示すように搬送路４１の長手方向、略中心部分の下面にて、長手方向に互いに離れた二つの支点部材４３Ａ、４３Ｂが折曲げ加工等により備えられており、これらの支点部材４３Ａ、４３Ｂの何れか一方を中心に搬送路４１が揺動（上下動）し、傾斜するようになっている。
さらに、搬送路４１は傾斜しない状態においては、長手方向に互いに離れた二つの支点部材４３Ａ、４３Ｂによって水平に保持されることになる。
【００３９】
上記支点部材４３Ａ、４３Ｂは、図７乃至図９に示すように搬送路４１の下面と化粧ガイド樋４２の上面との内部空間に取付けられ、支点部材４３Ａ、４３Ｂの両側端に突起４３ａ、４３ａを突設し、化粧ガイド樋４２の中心部分に設けた位置決め穴４２ａ、４２ａに突起４３ａ、４３ａが係合して、支点部材４３Ａ、４３Ｂが位置ズレしないように取り付けている。図中符号４５は、バランス樋４０の略中央付近に設けられ、店員がパチンコ玉の通過状況を視認にて確認することが出来る長穴形状から成る覗き窓である（図２及び図３参照）。
【００４０】
尚、搬送路４１の底面には、後述する加速手段から送り出されたパチンコ玉を隣接する上部タンク２０へ供給し易くするために転動していくパチンコ玉が滑り易いように平滑面に形成され、さらに滑り易くするために平滑材等（例えば、コーティング材等）を塗布し、又は凹凸面や凹凸面に形成した部材を貼り付けるなどの工夫を施すことにより、パチンコ玉が転動していく際の助勢作用に成る。
また、搬送路４１の上面には着脱自在の蓋部材が装着され、搬送路４１内の底面に埃等が付着しないようにしている。この蓋部材を開放して定期的に搬送路４１の底面に付着した埃等を除去する。
【００４１】
次に、加速手段５０の構成について図１１乃至図１４に基づいて説明する。
加速手段５０は、上部タンク２０の内部側壁の両側に取付けられ、図で示すように略Ｊ字ロート状の中空の滑り台部材５１（スベリ台方式）から構成されている。
加速手段５０は、上部にパチンコ玉を受け入れる受入れ口５２を備え、胴部５３が下方に延びて、下端に湾曲した吐出し口５４を形成し、この吐出し口５４が上記バランス樋４０の搬送路４１の先端に対向するように配設され、後述する駆動手段６０のシャッター部材６１により上部タンク２０の供給口２２を開閉、即ち加速手段５０の受入れ口５２へパチンコ玉を供給または供給停止出来るように構成されている。
【００４２】
そして、供給されたパチンコ玉は加速手段５０の受入れ口５２から滑り台部材５１の胴部５３を経て自重落下によって加速され、湾曲した吐出し口５４の湾曲面に沿って、滑らかに、勢い良く、バランス樋４０の搬送路４１へと送り出され、傾斜したバランス樋４０の搬送路４１上を、勢いを失うことなく転動していき、バランス樋４０が架け渡された隣接する遊技島１の上部タンク２０へと転動していくように構成されている。
尚、上記において上記加速手段５０の滑り部材５１は、中空のＪ字ロート状に形成した説明としたが、程良く折り曲げる等の他の形状のものでも良く、上記バランス樋４０の搬送路４１に、パチンコ玉に加速をつけて勢い良く送り出せる形状や装置であればどんなものであっても良い。
【００４３】
次に、駆動手段６０の構成について図１１又は図１２及び、図１５又は図１６に基づいて説明する。
駆動手段６０（モータ６７）は、上記した加速手段５０に隣接して取り付けられ、図に示すように略コ字状に板金を折り曲げて形成された取付け部材６２を上部タンク２０内にネジ止め固定する共に、内部に設けた仕切り板６３の前面に上記加速手段５０の滑り台部材５１を取り付け、仕切り板６３の背面側に揺動部材６４を上下動自在に設け、この揺動部材６４の上部にシャッター部材６１を取り付け、下部に作動部材６５が揺動自在に取り付けられた構成から成している。
【００４４】
揺動部材６４は、背面上部に第２のリンク部材６６の上端がネジ止め６６ａにより揺動自在に取り付けられ、下端は取付け部材６２の背面に取り付けたモータ６７の回転軸６７ａに軸支した第１のリンク部材６８の上端を回動自在にネジ止め６６ｂし、モータ６７の駆動による第１のリンク部材６８の回転と共に、第２のリンク部材６６を上下に揺動、即ちシャッター部材６１を上下動させるように成っている（開閉式による玉流出手段）。
【００４５】
作動部材６５は、コ字状に板金を折り曲げ形成され、上記取付け部材６２両側壁の下端前部にて、作動部材６５の略中間側壁を揺動自在にネジ止め６５ａし、作動部材６５の後端部を上記揺動部材６４の下端側壁に揺動自在にネジ止め６５ｂして構成し、上記揺動部材６４の上下動に伴ってネジ止め６５ａを中心に作動部材６５が揺動する。
上記作動部材６５の、ネジ止め６５ｂと反対側の端部は、平板にて左右の側壁と接続されており、後述するバランス樋４０の搬送路４１を持ち上げる際に、バランス樋４０の傾斜に一致するように、傾斜して形成すると発生音を最小限に抑えることが出来ると共に、バランス樋４０を確実かつ安定して保持でき、さらに確実に持ち上げることが出来ることとなる。
尚、図中符号６９は、シャッター部材６１の上下に伴って作動する透過型センサであり、シャッター部材６１の上下の停止位置センサの役割も兼ねている。
【００４６】
尚、他の玉供給装置としては、図示しないが搬送路４１の何れか一方の端部を支点として上下駆動機構により何れかに上下に揺動して傾斜するように構成したものであっても良い。
【００４７】
次に、本発明の実施形態による遊技島は以上のように構成されており、以下に示すように動作する。
遊技島１の島内に備えた玉揚送装置６寄りの玉貯留タンク３のパチンコ玉は、必要に応じて（上部タンク内の検出）排出され、循環リフト４にて持ち上げられ回収樋５を介して、常時運転している玉揚送装置６により磨きながら上部タンク２０へと揚送され、供給樋７から各パチンコ遊技機２や各台間玉貸機２ａに供給される。また、上部タンク２０内が満杯状態になると、溢れたパチンコ玉はオーバーフロー樋８により島内に備えた玉貯留タンク１内に再び送り込まれる。このようにして、遊技島１においてパチンコ玉が繰り返し循環還流される。
【００４８】
上記したように遊技島１においてパチンコ玉が繰り返し循環還流しているが、ある遊技島１において、列設した複数の台のパチンコ遊技機２の大当たり回数が多く出ると（大当たり台が連続し、無制限の場合）、上部タンク２０内に貯留しているパチンコ玉の玉量が次第に減っていき、上部タンク２０内の下限スイッチＳｄが検出し、この検出信号に基づいて循環リフト４が作動し、玉貯留タンク３内に貯留しているパチンコ玉が排出され、循環リフト４にて持ち上げられたパチンコ玉は回収樋５を介して玉揚送装置６にて揚送し、上部タンク２０内の上限スイッチＳｔで検出するまで循環リフト４は作動し、検出した時点で作動が停止する。
玉揚送装置６にて揚送されたパチンコ玉は、上部タンク２０へとパチンコ玉が供給され、受渡し口２１から上部ガイド板２７へと送られ、上部ガイド板２７上をサブ貯留部Ｔｓに向かってパチンコ玉が転動し、このパチンコ玉の動作と共に、上部ガイド板２７の隙間２７ａからメイン貯留部Ｔｍへ落下し、貯留される。
【００４９】
また、サブ貯留部Ｔｓに送られたパチンコ玉は、このような状態では隣接するパチンコ遊技機２にパチンコ玉を供給できる状態でないことから、サブ貯留部ＴＳの供給口２２が駆動手段６０のシャッター部材６１によって閉じられており、サブ貯留部Ｔｓ内に溢れたパチンコ玉もまた、上記上部ガイド板２７の先端位置で、サブ貯留部Ｔｓとの接続部部分に設けた隙間２７ｂからメイン貯留部Ｔｍへ落下し、貯留される。
一方、玉揚送装置６は開店時、常時運転していることから、各パチンコ遊技機２から排出されるパチンコ玉（アウト玉）は、玉貯留タンク３の両端の回収樋５にて回収され、玉揚送装置６により上部タンク２０へと磨きながら揚送され、上限スイッチＳｔ以上にパチンコ玉が貯留されると、オーバーフローパイプＯｐから下部空間部Ｔｄにパチンコ玉が送られ、オーバーフロー樋８により玉貯留タンク３へとパチンコ玉が送られ、貯留する。
【００５０】
遊技島１においてパチンコ玉を繰り返し循環還流される動作を繰り返す際、遊技島１の玉貯留タンク３内の玉貯留量の検出は、玉貯留タンク３の玉量検出装置１０である第一の検出センサ１０ａと、第二の検出センサ１０ｂとによる、イン玉からアウト玉を減算処理して玉貯留タンク３内の玉貯留量の増減量を判断しながら行ない、仮に玉貯留タンク３内の玉貯留量が不足した場合は、左右方向に隣接した供給可能な遊技島１からバランス樋４０を介して供給するように成している。
尚、遊技島１にて島端に玉計数機１ａが備えられている場合に、この玉計数機１ａに投入された懸賞玉の玉量も当然玉量検出装置１０（玉計数機自体からの計数値出力）に認識され、この懸賞玉の玉量をも計数されて玉貯留タンク３内にパチンコ玉が供給され、貯留される。
【００５１】
上記のように遊技島１内に備えた玉貯留タンク３内の玉貯留量が所要量に達した時点、即ち遊技島１内の玉貯留量が、所要量より多い、と検出・認識された場合に、他の遊技島１、１（不足している遊技島）へ供給可能信号が発信され、パチンコ玉の供給可能状態となる。
【００５２】
上記の待機状態において、隣接する他の遊技島１（不足している遊技島）からパチンコ玉の供給依頼信号を受信すると、パチンコ玉の供給依頼信号を受信した当該パチンコ玉を供給する側の遊技島１は、玉供給手段の駆動手段６０のモータ６７が信号を受けて駆動回転し、第１のリンク部材６８及び第２のリンク部材６６を介して揺動部材６４が下方に移動し、この揺動部材６４の下方への移動に伴って、揺動部材６４と連動する作動部材６５がネジ止め６５ａを中心に揺動し（図１５（Ｂ）参照）上記バランス樋４０の搬送路４１の先端が作動部材６５により持ち上げられる。
つまり、図１０（Ａ）に示すように支点部材４３Ｂを中心に、あるいは図１０（Ｂ）に示すように支点部材４３Ａを中心に、持ち上げられて何れか一方側、図面にて右側から左側へと、バランス樋４０の搬送路４１が何れか一方側への傾斜姿勢に可変し、加速手段５０の滑り部材５１の下端の吐出し口５４と、バランス樋４０の搬送路４１の先端とが対向する（図３及び図６をも参照）。
【００５３】
これと同時に、上記揺動部材６４の下方への移動に伴って、揺動部材６４の上部に取り付けたシャッター部材６１が上部タンク２０即ちサブ貯留部Ｔｓの供給口２２を開き、加速手段６０の滑り台部材５１の受入口５２へとパチンコ玉が供給され、供給されたパチンコ玉は加速手段５０の受入れ口５２から滑り台部材５１の胴部５３を経て自重落下によって加速されて、湾曲した吐出し口５４の湾曲面に沿って、滑らかに、勢い良く、バランス樋４０の搬送路４１へと送り出され、傾斜姿勢したバランス樋４０の搬送路４１上を、勢いを失うことなく助勢されて転動し、バランス樋４０が架け渡された隣接する遊技島の上部タンク２０へと転動し、搬送され、パチンコ玉の供給を受ける側の遊技島へとパチンコ玉が素早く供給される。
【００５４】
この場合、パチンコ玉の供給を受ける側の遊技島側の玉供給手段では、玉供給手段のバランス樋４０の搬送路４１の先端は、上部タンク２０の玉供給手段に設けられた駆動手段６０の作動部材６５から離れ、自由な開放状態になっており、上記バランス樋４０の搬送路４１が、支点部材４３Ａまたは４３Ｂを中心にシーソーのように揺動し、バランス樋４０の搬送路４１の先端は、パチンコ玉の供給を受ける側の遊技島の保持部２４に載置され、保持される。
【００５５】
上述したように、パチンコ玉の供給を受ける側の遊技島側の玉供給手段では、バランス樋４０の搬送路４１上を転動して来るパチンコ玉は、上部タンク２０の開口２３から上部タンク２０へと供給され、一部は中仕切板２８の隙間２８ａから下部ガイド板２９へと送られながら、中仕切板２８の傾斜に沿って導通口２６ａを通過してメイン貯留部Ｔｍ内へと送り込まれる。
送り込まれたパチンコ玉が、メイン貯留部Ｔｍ内で下限スイッチＳｄを越えると、貯留されたパチンコ玉に遮られて、それ以上上記導通口２６ａを通過してメイン貯留部Ｔｍ内へとパチンコ玉を供給できなくなるため、中仕切板２８上のパチンコ玉は、その隙間２８ａから下部ガイド板２９を経て下部空間部Ｔｄへと送られ、上記オーバーフロー樋８を介して貯留部３へと送られ、貯留される。
【００５６】
このようにパチンコ玉の供給が継続され、玉貯留タンク３の玉量検出装置１０の第一の検出センサ１０ａと第二の検出センサ１０ｂとによる、イン玉からアウト玉を演算部にて減算処理して貯留タンク３の玉貯留量が所要数量に達したと判断された処で、パチンコ玉を供給する側の上記駆動手段６０のモータ６７が信号を受けて駆動回転すると、上述の動作と逆に、第１のリンク部材６８および第２のリンク部材６６を介して揺動部材６４が上方に移動し、この揺動部材６４の上方への移動に伴って、揺動部材６４の上部に取り付けたシャッター部材６１が上部タンク２０の供給口２２を閉じ、加速手段５０の受入れ口５２へのパチンコ玉の供給が停止される。
【００５７】
この際、パチンコ玉を供給する側の遊技島１の上部２０の玉供給手段では、第１のリンク部材６８及び第２のリンク部材６６を介して揺動部材６４が上方に移動し、この揺動部材６４の上方への移動に伴って、揺動部材６４と連動する作動部材６５がネジ止め６５ａを中心に揺動し（図１６（Ｂ）参照）、バランス樋４０の搬送路４１の先端が作動部材６５から離れ、自由な開放状態となり、パチンコ玉を供給する側の遊技島１の玉供給手段は待機状態となる。
この状態で、パチンコ玉を供給する側の遊技島１及び供給を受けた側の遊技島１は、それぞれの上部タンク２０、２０の玉供給手段のメイン貯留部Ｔｍ、Ｔｍから供給樋７を介して各パチンコ遊技機２へパチンコ玉が不断に供給され、またそれぞれの玉揚送装置６が開店中は常時駆動されているので、隣接する左右方向の遊技島１、１の各パチンコ遊技機２での遊技者による遊技は支障なく継続されることとなる。
【００５８】
さらに、上記バランス樋４０は、傾斜されない状態においては長手方向に離れた二つの支持部材４３Ａ、４３Ｂによって確実に水平に保持され得るので、より一層化粧ガイド樋４２そしてバランス樋４０の高さ（厚み）が低く（薄く）抑制され得ることになり、見栄えが向上し、何ら美観を損ねることがなくなる。
【００５９】
上記上部タンク２０に備えられた玉供給装置３０（玉供給手段）は、隣接する遊技島１、１間に架け渡すバランス樋４０と、バランス樋４０に加速をつけてパチンコ玉を送り出す加速手段５０と、加速手段５０に送り出す上部タンク２０の開口２２を開閉するシャッター部材６１を備えると共に上記バランス樋４０を傾斜させる駆動手段６０とを備え、上記駆動手段６０は、上記加速手段５０を取付けると共に、揺動部材６４を揺動自在に取付け、揺動部材６４の上部に上記シャッター部材６１を備えると共に下部には上記バランス樋４０を傾斜させる作動部材６５を備え、それぞれ連動して構成されているので機械的に連動する構成とされ、故障することなく、部品点数を少なくできて構造的に簡略化でき、さらにコストダウンを図ることができる。
【００６０】
また、本発明による実施形態によれば、上記上部タンク２０の上記玉供給手段側の内部に、仕切り壁２６を設けて上部タンク２０内にメイン貯留部Ｔｍを形成し、玉供給手段の下部に位置して、隣接する遊技島間に架け渡された上記バランス樋４０の先端が対向する開口２３を設け、この開口２３の内部下方に、隙間２８ａを形成した中仕切板２８を傾斜して配置し、この中仕切板２８の先端部分で、上記仕切り壁２６との接合部分に、メイン貯留部Ｔｍに通ずる導通口２６ａを形成し、メイン貯留部Ｔｍに供給樋７の先端を取り付ける取り付け部２５が設けられているので、バランス樋４０から供給されるパチンコ玉は、中仕切板２８から導通口２６ａを通過してメイン貯留部Ｔｍに送り込まれ、供給樋７によって各パチンコ遊技機２や各台間玉貸機２ａへと供給されるので、万が一上記遊技島１にて常時運転している玉揚送装置６が故障した場合に、緊急事態においても各パチンコ遊技機２や各台間玉貸機２ａへとパチンコ玉を供給でき、この結果、各パチンコ遊技機２での遊技者に対して支障なく継続営業することが出来る。
【００６１】
次に、循環還流システム９が導入され、幅広通路を挟んで前後方向に配設された遊技島１００の場合について説明する。図１７乃至図１９は、パチンコ遊技店において、幅広通路７００を挟んで前後方向に配設される遊技島１００に、左右方向に配設された何れかの遊技島と相互にパチンコ玉を供給し合う場合の上部タンク２００の実施形態を示したものである。尚、上述した構成と同じものは同符号で説明する。
【００６２】
ここでは幅広通路７００を挟んで前後方向に配設された遊技島１００と、左右方向に配設された何れかの遊技島とを玉供給装置（玉供給手段）３００としての第１玉供給装置３００Ａを介して第２玉供給装置３００Ｂに排出し、第２玉供給装置３００Ｂから送り出されたパチンコ玉をバランス樋４００にて供給し合う構成について説明する。
郊外に設置されたパチンコ遊技店においては、店舗規模が大きく、左右方向に配設された遊技島における各遊技島内の玉貯留量を均等化する、一方、幅広通路７００を挟んで前後方向に配設された遊技島においても遊技島同士間にバランス樋４００を架け渡す必要がある。例えば、左右方向に配設された遊技島の遊技客が獲得したパチンコ玉を持って前後方向の遊技島に移動して遊戯すると、遊技島内の玉貯留量が増減してしまう。または、左右方向に配設された何れの遊技島の玉貯留量の激減（満杯）した場合は、前後方向の遊技島から供給又は受給しなければならない場合もある。
【００６３】
例えば、上述したように左右方向の何れかの遊技島の島内の玉貯留量の増減を玉量検出装置１０にて検出して所要量より少ないと検出した時、前後方向の何れかの遊技島の玉貯留量が所要量より多くあり、供給可能であるか判断すると供給可能の信号を発信し、供給可能と判断した遊技島から第１玉供給装置３００Ａにて排出され、送り出されたパチンコ玉は第２玉供給装置３００Ｂを介して幅広通路７００を挟んで上部タンク２００の側壁２０１に設けたて架け渡したバランス樋４００から供給される。
【００６４】
これとは逆に、左右方向の何れかの遊技島の島内の玉貯留量が所要量より多いと玉量検出装置１０にて検出した時、前後方向の何れかの遊技島の玉貯留量が所要量より少なく、受給可能であるか判断すると受給可能の信号を発信し、受給可能と判断した遊技島から第１玉供給装置３００Ａにて排出され、送り出されたパチンコ玉は第２玉供給装置３００Ｂを介して幅広通路７００を挟んで架け渡したバランス樋４００から受給される。
このように、左右方向の何れかの遊技島と、幅広通路７００を挟んで前後方向に配設された遊技島１００とを水平な少なくとも１本のバランス樋４００を遊技島（自島又は他島）の終端に設けた例えば第２玉供給装置同士３００Ｂに架け渡して前後方向の各島内の玉貯留量の増減の検出により、必要に応じてパチンコ玉を相互に供給し合うのである。尚、第１玉供給装置３００Ａから第２玉供給装置３００Ｂへは水平若しくは傾斜した供給樋７が連結されている。
【００６５】
上部タンク２００内に備えられた第１玉供給装置３００Ａは、玉揚送装置６により磨かれたパチンコ玉を一時貯留させる貯留部３００ａと、玉供給手段が設けられ、貯留部３００ａのパチンコ玉を排出するように成している。
また、遊技島の端部の上方には第２玉供給装置３００Ｂが備えられている。第２玉供給装置３００Ｂは、供給樋７から転動してきたパチンコ玉を持ち上げる小型の循環リフト３００ｂと、一時貯留させる貯留部３００ａと、玉供給手段が設けられ、第１玉供給装置３００Ａから排出されたパチンコ玉は供給樋７内を転動し、循環リフト３００ｂにて持ち上げられて貯留部３００ａに貯留し、玉供給装置３００（例えば、滑り台部材５１０と吐出し口５４０とから成る加速手段５００）からバランス樋４００にて供給、受給し合うように成している。玉供給装置３００の第１玉供給装置３００Ａ及び第２玉供給装置３００Ｂ、小型の循環リフト３００ｂは検出部（図示せず）の検出に基づいて互いに関連するように動作する。２５０は、供給樋７の取付け部である。
尚、上記した上部タンク２００の構成は上述した上部タンク２０、玉供給装置３００の構成は上述した玉供給装置３０、バランス樋４００の構成は上述したバランス樋４０、加速手段５００の構成は上述した加速手段５０、駆動手段６００の構成は上述した駆動手段６０の実施形態と同じ構成なのでここでの説明は省略する。
また、玉供給装置３００は加速手段５００としたが、他の玉供給装置としては、図示しないが搬送路の何れか一方の端部を支点として上下駆動機構により何れかに上下に揺動して傾斜するように構成したものであっても良い。
【００６６】
本発明の実施形態による遊技島は以上のように構成されており、以下に示すように動作する。
幅広通路７００を挟んで前後方向に配設される遊技島１００に、左右方向に配設された何れかの遊技島と相互にパチンコ玉を供給し合う場合、幅広通路７００を挟んで前後方向に、隣接して配設される遊技島同士（例えば、第２玉供給装置３００ｂ同士）にて、相互にパチンコ玉を供給し合うことが出来ることから、左右方向に配設された何れかの遊技島から幅広通路７００を挟んで遊技島の前後方向の何れかに配設された遊技島同士のパチンコ玉を相互に供給し合う時、架け渡したバランス樋４００を介して行なうことが出来る。
例えば、壁島の遊技島において島内の玉貯留量が不足した場合、先ず、左右方向に配設された遊技島が供給可能であるか判断させ、仮に供給不可であれば、次いで幅広通路７００を挟んで前後方向に、隣接して配設した遊技島にて供給可能であるか判断させ、供給可能であれば、幅広通路７００を挟んで架け渡したバランス樋４００を介して供給することが出来る。
【図面の簡単な説明】
【００６７】
【図１】本発明の遊技島相互（左右方向遊技島）における玉供給装置の一実施形態の構成を示す概略側面図である。
【図２】本発明のバランス樋を遊技島の上部タンク間の接続した状態を示す斜視図である。
【図３】図２の一方の上部タンクとバランス樋との関係を示す概略斜視図である。
【図４】図２の上部タンクを示す概略斜視図である。
【図５】図４の上部タンクの背面側内側を示す概略斜視図である。
【図６】図２の概略正面図で、一方の上部タンク内は破断して示している。
【図７】バランス樋に設けた支点部材を示し、（Ａ）は概略拡大斜視図、（Ｂ）は同概略拡大横断面図である。
【図８】図７のバランス樋における補強用枠体の拡大斜視図である。
【図９】図７のバランス樋の概略拡大縦断面図である。
【図１０】図７のバランス樋を示し、（Ａ）は一側、及び（Ｂ）は他側への傾斜状態を示す図である。
【図１１】図２の上部タンクの概略拡大縦断面図である。
【図１２】図１０をさらに拡大した概略拡大縦断面図である。
【図１３】図１０の玉供給装置（玉供給手段）の斜視図である。
【図１４】図１３の加速手段の要部斜視図である。
【図１５】図１２の駆動手段を示し、（Ａ）は正面図、（Ｂ）は（Ａ）のＸ−Ｘ線断面図である。
【図１６】図１２の駆動手段の動作状態を示し、（Ａ）は正面図、（Ｂ）は（Ａ）のＹ−Ｙ線断面図である。
【図１７】本発明の遊技島相互（幅広通路を挟んで前後方向）の上部タンクにおける玉供給装置の一実施形態の構成を示す概略斜視図である。
【図１８】図１７の遊技島の構成を示す概略側面図である。
【図１９】図１８の遊技島の構成を示す要部拡大概略側面図である。
【符号の説明】
【００６８】
１      遊技島
３      玉貯留タンク
６      玉揚送装置
９      循環還流（システム）
２０      上部タンク
３０      玉供給装置（玉供給手段）
４０      バランス樋
４３Ａ    支点部材
４３Ｂ    支点部材
４４      補強用枠体
１００    遊技島
２００    上部タンク
３００    玉供給装置（玉供給手段）
３００Ａ  第１玉供給装置
３００Ｂ  第２玉供給装置
４００    バランス樋
７００    幅広通路
【図１】
2005305196.tif 000003
【図２】
2005305196.tif 000004
【図３】
2005305196.tif 000005
【図４】
2005305196.tif 000006
【図５】
2005305196.tif 000007
【図６】
2005305196.tif 000008
【図７】
2005305196.tif 000009
【図８】
2005305196.tif 000010
【図９】
2005305196.tif 000011
【図１０】
2005305196.tif 000012
【図１１】
2005305196.tif 000013
【図１２】
2005305196.tif 000014
【図１３】
2005305196.tif 000015
【図１４】
2005305196.tif 000016
【図１５】
2005305196.tif 000017
【図１６】
2005305196.tif 000018
【図１７】
2005305196.tif 000019
【図１８】
2005305196.tif 000020
【図１９】
2005305196.tif 000021